(57)【特許請求の範囲】
【請求項１】
排水管に取り付けられる筒体と、
該筒体に植設された、排水の下流方向に、かつ、該筒体の中心部に向けて先が集まるように延び出す多数の針金体と、
を備えるネズミ侵入防止具であって、
前記針金体の基端部が、前記筒体に回動可能、かつ、該針金体の先端部が該筒体の中心部に向くように付勢されて取り付けられていることを特徴とするネズミ侵入防止具。
【請求項２】
前記針金体の基部にループ部が形成されており、
前記筒体の端部に前記針金体ループ部を収容する凹部が形成されており、
前記ループ部が前記凹部内で縮められてバネとして作用することを特徴とする請求項１記載のネズミ侵入防止具。
【請求項３】
前記凹部が、
前記針金体毎に独立して設けられたものであって、
前記針金体のループ部が収容される奥部と、
前記ループ部に続く針金体基部が収容される、前記筒体の下端に向けて拡がる先部とを有し、
該先部が、斜め下内方向に傾斜した内壁と、下に向う外壁とを有し、前記針金体基部が前記針金体ループ部により付勢されて、該内壁に沿って前記筒体の中心部に向くように延び出すことを特徴する請求項１又は２記載のネズミ侵入防止具。
【請求項４】
前記筒体の元となる部材が長い帯体として使用者に提供され、該帯体を使用者が適当な寸法に切断した後に丸めて所定寸法の筒体とすることを特徴とする請求項１〜３いずれか１項に記載のネズミ侵入防止具。
【発明の詳細な説明】
【技術分野】
【０００１】
本発明は、排水管の排気口等からのネズミの侵入を防止する器具に関する。
【背景技術】
【０００２】
飲食店やデパートの食品売り場などの排水管は、排水口が、排水が集められる排水ますに開口しているのが一般的である。このような場合、ネズミなどが排水口から排水管を通って厨房に侵入することは衛生上問題があるので、排水管にネズミの侵入を防止する防止具が取り付けられている。このような防止具としては、例えば、排水口に取り付けられる枠状の部材と、同部材の周囲から枠状部材の中心部に向って斜めに延び出す多数のピアノ線を設けたものがある（例えば、特許文献１参照）。
【０００３】
図５は、特許文献１に開示されているネズミ侵入防止具を説明する図であり、図５（Ａ）は側面図、図５（Ｂ）は正面図である。
このネズミ侵入防止具１１は、排水口に取り付けられる取り付け枠１３と、同枠１３の周囲から中心部に向って斜めに延び出す多数のピアノ線１５とから構成される。各ピアノ線１５は、基部が取り付け枠１３に固定されているとともに、途中の部分がズリ止針金１６で固定されている。ピアノ線１５の先端は、取り付け枠１３の径よりも小さい侵入防止口を形成している。ネズミがこの侵入防止口から入り込もうとすると、ピアノ線１５の先端が身体に刺さり侵入できなくなる。
【０００４】
このネズミ侵入防止具１１は、前述のように、ピアノ線１５が基部や途中で固定されている。このため、排水口に取り付けた場合、大きいゴミなどが流れてくると、ピアノ線１５に引っ掛かって排水口が詰まるおそれがある。
【０００５】
【特許文献１】実開昭５１−７５８６９
【発明の開示】
【発明が解決しようとする課題】
【０００６】
本発明は上記の問題点に鑑みてなされたものであって、ネズミの侵入を確実に防ぐとともに、ゴミ詰まりなどが起こりにくい排水口取り付け型のネズミ侵入防止具を提供することを目的とする。
【課題を解決するための手段】
【０００７】
本発明のネズミ侵入防止具は、  排水管に取り付けられる筒体と、  該筒体に植設された、排水の下流方向に、かつ、該筒体の中心部に向けて先が集まるように延び出す多数の針金体と、を備えるネズミ侵入防止具であって、  前記針金体の基端部が、前記筒体に回動可能、かつ、該針金体の先端部が該筒体の中心部に向くように付勢されて取り付けられていることを特徴とする。
【０００８】
上述の従来例に示した、排水口に取り付けられる枠状の部材と、同部材の周囲に固定されて、枠状部材の中心部に向って斜めに延び出す多数のピアノ線とを設けたネズミ侵入防止具の場合、排水管に大きなゴミが排水と一緒に流れてくると、このゴミは針金体に引っ掛かってしまう。これは、針金体が枠部材に固定されているためである。このような場合、ゴミは針金体に引っ掛かったままであり、排水管が詰まるような事態となりうる。しかし、本発明においては、針金体が筒体の外方向に回動可能となっているので、大きなゴミが流れてくると、いったんは針金体に引っ掛かるが、排水の勢いによって針金体が外方向に回動し、ゴミは排水とともに取り去られる。したがって、ゴミ詰まりが起こりにくくなる。なお、針金体は筒体中心部に向けて付勢されているので、ゴミが取り去られた後すぐに元の位置に戻って、先が筒体の中心部に向けて集まり、口が閉じる。これにより、排水管の下流側からネズミの侵入が不可能になる。
【０００９】
本発明においては、  前記針金体の基部にループ部が形成されており、  前記筒体の端部に前記針金体ループ部を収容する凹部が形成されており、  前記ループ部が前記凹部内で縮められてバネとして作用することが好ましい。
さらに、  前記凹部が、  前記針金体毎に独立して設けられたものであって、  前記針金体のループ部が収容される奥部と、  前記ループ部に続く針金体基部が収容される、前記筒体の下端に向けて拡がる先部とを有し、  該先部が、斜め下内方向に傾斜した内壁と、下に向う外壁とを有し、前記針金体基部が前記針金体ループ部により付勢されて、該内壁に沿って前記筒体の中心部に向くように延び出すことが好ましい。
【００１０】
本発明によれば、針金体の基端部を、筒体に回動可能、かつ、針金体の先端部が筒体の中心部に向けて付勢されるように取り付けることができる。
【００１１】
本発明においては、  前記筒体の元となる部材が長い帯体として使用者に提供され、該帯体を使用者が適当な寸法に切断した後に丸めて所定寸法の筒体とすることもできる。
この場合、任意の径の排水管に適用できる筒体を形成できる。また、帯体を丸めた状態としておき、所望の寸法に切断して販売することもできる。
【発明の効果】
【００１２】
以上の説明から明らかなように、本発明によれば、各針金体が筒体の外方向に回動可能となっているので、大きなゴミが流れてくると、いったんは針金体に引っ掛かるが、排水の勢いによって針金体が外方向に回動し、ゴミは排水とともに取り去られ、ゴミ詰まりを起こしにくくなる。なお、針金体は筒体中心部に向けて付勢されているので、ゴミが取り去られた後すぐに元の位置に戻り、先が集まって口が閉じ、ネズミの侵入を不可能にする。このように、ネズミの侵入を確実に防ぐとともに、ゴミ詰まりなどが起こりにくい排水口取り付け型のネズミ侵入防止具を提供することができる。
【発明を実施するための形態】
【００１３】
以下、本発明の実施の形態について、図面を参照しながら詳細に説明する。
図１は、本発明の第１の実施の形態に係るネズミ侵入防止具を示す図であり、図１（Ａ）は正面図、図１（Ｂ）は下面図である。
図２は、図１のＡ部を拡大した図である。
ネズミ侵入防止具１は、排水管に取り付けられる筒体３と、同筒体３に植設されて、排水の下流方向に、かつ、同筒体３の中心部に向けて先が集まるように延び出す多数の針金体５とから構成される。
【００１４】
筒体３は、排水管Ｐの内径とほぼ同じ外径を有し、排水管Ｐに差込可能となっている。筒体３の内径は、例えば６０ｍｍである。筒体３は、後述するように外筒部材３Ａと内筒部材３Ｂとから構成されている。なお、この例では、排水管Ｐの開口端がスラブＳと同一面にある場合を示す。なお、図３に示すように排水管Ｐの外側に筒体３を嵌めてもよい。
【００１５】
針金体５は、さびにくく剛性のある、例えばステンレス製の線材（径は一例で０．２〜２ｍｍ）で作製される。各針金体５は、図２に分かりやすく示すように、一端が外方向にループ状に丸められたループ部５ａと、ループ部５ａに続く基部５ｂとを有する。各針金体５のループ部５ａは、筒体３の下面に形成された多数の凹部４の各々に収容されている。各凹部４は、筒体３の下面に形成された開口から、筒体３の深さ方向（図の上方向）、及び、筒体３の中心から放射状外方向に延びるように形成されている。
【００１６】
凹部４は、図２に示すように、略方形の奥部４ａと、その先側の筒体３の下端に向けて拡がる略三角形状の先部４ｂとを有し、幅は針金体５の径よりやや広い程度である。奥部４ａは、針金体ループ部５ａが収容される部分であり、同部の横寸法はループ部５ａよりもやや狭くなっている。なお、ループ部５ａの抜け止めのために、凹部４の奥部４ａの下壁３ａは内側上方に向ってやや傾斜している。凹部４の先部４ｂは、針金体ループ部５ａに続く針金体基部５ｂが収容される部分であり、斜め下内方向に傾斜した内壁３ｂと、下に向う外壁３ｃとを有する。
【００１７】
凹部４の奥部４ａの横寸法は、針金体ループ部５ａの横寸法よりもやや狭いので、ループ部５ａは奥部４ａにやや縮められて収容される。このため、ループ部５ａは奥部４ａ内でバネのように拡がろうとし、ループ部５ａに続く基部５ｂは、筒体３の内方向に付勢される。そして、基部５ｂは、凹部４の先部４ｂの内壁３ｂに当接し、同壁３ｂの傾斜方向に沿って、排水の下流方向、かつ、筒体３の中心部に向けて延び出し、各基部５ｂの先端が集まって、下流に向って先細の漏斗のような形状となる。また、このような構造により、針金体５は、ループ部５ａを基にして、外方向に向って、基部５ｂが先部４ｂ内で外壁３ｃに当るまで回動可動となっている。
なお、凹部４の幅は、針金体５の幅よりもやや広い程度の寸法であるので、針金体５は凹部４内で、軸線がねじれたり、枠体３の円周方向に動かないように収容される。
【００１８】
なお、筒体３は、前述の形状の凹部４を設けるために、２つの部材（外筒部材３Ａと内筒部材３Ｂ）とからなり、両者を接着して構成することができる。
【００１９】
針金体５は、長いものと短いものとからなり、筒体３の円周方向に交互に配置されている。隣接する針金体５の間隔は、ネズミの頭が入らない程度の寸法に設定されている。図１（Ｂ）に示すように、針金体５の先端は、下から見ると円形の先端口を形成する。先端口の径は、例えば、クマネズミの頭の寸法の１０〜２０ｍｍ程度である。なお、長い針金体と短い針金体とを用いたのは、長いものばかりとすると、針金体５の先端が集中してしまい、針金体５が絡まったりして不都合となるためである。
【００２０】
このネズミ侵入防止具１においては、ネズミが針金体５の先端口から侵入しようとすると、針金体５の先端がネズミの身体に刺さり、侵入できなくなる。また、針金体５の中間部から入ろうとしても、針金体５の間隔は狭いので入り込むことができない。一方、排水管Ｐから水とともにやや大きめのゴミが流れてきた場合は、ゴミはいったん針金体５に引っ掛かるが、水の勢いにより、さらに下流に流れようとする。針金体５は前述のように、ループ部５ａを元にして外方向に回動可能となっているので、図２の想像線で示すように、ゴミに押されて同方向に回動し、ゴミが針金体５を通過する。ゴミが流れ落ちると、針金体５は再度ループ部５ａの力によって内方向に付勢されて、元の形態に戻る。
【００２１】
図３は、本発明の実施の形態に係るネズミ侵入防止具の他の例を示す図である。
この例は、排水管ＰがスラブＳから突き出た場合を示し、ネズミ侵入防止具１を排水管Ｐの突き出た部分に取り付けるものである。この場合は、図３に示すように筒体３の外筒体３Ａの内径を、排水管Ｐの外径とほぼ等しくして、外筒体３Ａを排水管Ｐの外側に嵌め込み、バンドＢやビスなどで排水管Ｐに固定する。
【００２２】
図４は、本発明の実施の形態に係るネズミ侵入防止具の他の例を示す図である。
この例では、筒体３の元となる部材が長い帯体として使用者に提供される。帯体は、ゴムやフレキシブルなプラスチック（例えば、塩化ビニル、ＰＥＴ、ＰＰなど）で作製される。この帯体には、上述の例と同様に針金体５のループ部５ａが取り付けられている。使用する際は、排水管の径に合わせて帯体を切断し、切断した帯体を丸めて端面同士を瞬間接着剤などで固定する。さらに、丸めた帯体の周囲をスチールバンドなどで留めてもよい。また、帯体を丸めた状態としておき、所望の寸法に切断して販売することもできる。
【図面の簡単な説明】
【００２３】
【図１】本発明の第１の実施の形態に係るネズミ侵入防止具を示す図であり、図１（Ａ）は正面図、図１（Ｂ）は下面図である。
【図２】図１のＡ部を拡大した図である。
【図３】本発明の実施の形態に係るネズミ侵入防止具の他の例を示す図である。
【図４】本発明の実施の形態に係るネズミ侵入防止具の他の例を示す図である。
【図５】特許文献１に開示されているネズミ侵入防止具を説明する図であり、図５（Ａ）は側面図、図５（Ｂ）は正面図である。
【符号の説明】
【００２４】
１  ネズミ侵入防止具                ３  筒体
４  凹部                            ５  針金体
【図１】
0004901644.tif 000002
【図２】
0004901644.tif 000003
【図３】
0004901644.tif 000004
【図４】
0004901644.tif 000005
【図５】
0004901644.tif 000006